(57)【要約】【課題】ドアを閉じる操作が軽い力で行えるようにし、子供やお年寄り、手の悪い人でも閉操作が簡単に行え、しかも、脱衣所の出入口に設置したドアの開閉では一緒に開くようなことのないようにできるドアのラッチ装置を提供する。【解決手段】固定ケース１１の内部にラッチ部材１２を、ドア外枠側に係脱する先端側がこの固定ケース１１の端面から出没自在となるよう収納し、このラッチ部材１２に、スプリング１３で上記先端側が固定ケース１１の端面から常時突出する方向の弾性を付勢したドアのラッチ装置Ａにおいて、上記ラッチ部材１２を、固定ケース１１の内部に、その先端部が固定ケース１１の端面から出没する移動と、先端部がドア外枠側に対して当接した状態でドアの閉じる方向への移動によって生じる回動との複合動が可能となるよう収納している。【選択図】　図２
2004068358.tif 000002
【特許請求の範囲】
【請求項１】
ドアに対する固定ケースの内部にラッチ部材を、ドア外枠側に係脱する先端側がこの固定ケースの端面から出没自在となるよう収納し、このラッチ部材に、スプリングで上記先端側が固定ケースの端面から常時突出する方向の弾性を付勢したドアのラッチ装置において、上記ラッチ部材を、固定ケースの内部に、その先端部が固定ケースの端面から出没する移動と、先端部がドア外枠側に対して当接した状態でドアの閉じる方向への移動によって生じる回動との複合動が可能となるよう収納したことを特徴とするドアのラッチ装置。
【請求項２】
上記固定ケースの端面から出没するラッチ部材の先端側が、ドアの開閉方向に対して対応するための二つの傾斜面に形成され、このラッチ部材は、固定ケースに形成した角形収納孔内に納まり、固定ケースに設けた長孔と、このラッチ部材に長孔へ嵌るよう設けた軸とで、固定ケースの端面に対する出没動のストロークが設定され、上記ラッチ部材は、軸を支点として、先端部がドア外枠側に対して当接した状態でドアの閉じる方向への移動によって生じる回動が発生するよう、出没動方向の長さを、ドアの開方向に臨む正面が長く、ドアの閉方向に臨む背面を短くして、その内端側を傾斜端面に形成し、上記ラッチ部材に固定ケースの端面から常時突出する方向の弾性を付勢するよう、固定ケースの角形収納孔内に収納したスプリングが、傾斜端面の正面側端部を対面方向から押圧していることを特徴とする請求項１に記載のドアのラッチ装置。
【発明の詳細な説明】
【０００１】
【発明の属する技術分野】
この発明は、ドアのラッチ装置、例えば、浴室の二つ折りドアに装着し、ドアの閉じ状態を保持するためのラッチ装置に関する。
【０００２】
【従来の技術】
図４は、浴室の出入り口に設置される二つ折りドア装置の構造を示し、建物側に固定されるドア外枠１の内部に二つ折りドア２を収納している。
【０００３】
二つ折りドア２は、二枚のドア単体２ａ、２ｂをジョイント機構３で、両側に展張した状態から一方側に二つ折り可能に接続し、一方ドア単体２ａの自由側端部の上下をドア外枠１にヒンジ機構を用いて回転可能に枢止し、他方ドア単体２ｂの自由側端部の上下が、ドア外枠１の上桟と下桟に設けた突条に沿って回動と摺動が自在となるよう取り付けられている。
【０００４】
上記二つ折りドア２は、両ドア単体２ａ、２ｂの途中に設けたハンドルバー４を握り、押し又は引き操作により、二枚のドア単体２ａ、２ｂを二つ折りにすれば出入り口が開放し、両側に展張すれば出入り口を閉じることができる。
【０００５】
このような二つ折りドア２においては、両ドア単体２ａ、２ｂのそれぞれに、ドア外枠１に対して係脱するラッチ装置Ａを取り付け、ドア単体２ａ、２ｂを両側に展張して出入り口を閉じたとき、ラッチ部材Ａをドア外枠１に係止させることにより、出入り口を閉じた状態を保持するようになっている。
【０００６】
二つ折りドア２における上記ラッチ装置Ａの取り付けは、一方ドア単体２ａのジョイント機構３寄りの下部と、他方ドア単体２ｂのジョイント機構３寄りの上部とに設定されている。
【０００７】
従来のラッチ装置Ａは、図示詳細を略したが、ドア単体の上桟又は下桟内に嵌め込んで取り付ける固定ケースの内部に、ラッチ部材をドア外枠側に係脱する先端側がこの固定ケースの端面から出没自在となるよう収納し、このラッチ部材に、スプリングで上記先端側が固定ケースの端面から常時突出する方向の弾性を付勢した構造を有し、ラッチ部材の先端側は、ドアの開閉方向に対して対応するための二つの傾斜面に形成されている。
【０００８】
二つ折り状態のドア単体２ａ、２ｂを展張させて出入り口を閉じるとき、ドア単体２ａ、２ｂの閉じ方向への回動でラッチ部材の先端側がドア外枠の突条に当接し、その傾斜面の作用でラッチ部材は固定ケース内に押し込まれ、先端が突条を通過するとラッチ部材はスプリングの弾性で突出位置に戻り、ドア外枠１の突条に係合することで、二つ折りドア２により出入り口を閉じた状態を保持することになる。
【０００９】
また、出入り口を開くためにドア単体２ａ、２ｂを開方向へ回動させると、ラッチ部材はドア外枠の突条に当接した傾斜面の作用で固定ケース内に押し込まれ、先端が突条を通過すると係合が外れ、ラッチ部材はスプリングの弾性で突出位置に戻り、ドア単体の二つ折りが可能になる。
【００１０】
上記のように、二つ折りドア２は、開閉操作時において、ドア外枠の突条に対して係脱するときスプリングの弾性に抗してラッチ部材が没入するので、これが開閉操作時の抵抗になる。
【００１１】
【発明が解決しようとする課題】
ところで、上記のような従来のラッチ装置は、ラッチ部材の固定ケースへの嵌合部分が、固定ケースに設けた角形の収納孔内に丁度納まる断面形状に形成され、収納孔の長さ方向にのみ移動可能となっているので、二つ折りドアの開閉操作時に、ドア外枠の突条に係合するラッチ部材を没入させるには、ラッチ部材の出没方向に対して直角の方向の力が加わり、この直角の方向の力を先端部に形成した傾斜面の作用で没入させることになるので、どうしても、ラッチ部材の没入に大きな抵抗が発生し、このため、開閉操作に大きな力が必要になり、子供やお年寄り、手の悪い人は開閉操作に支障をきたすという問題がある。
【００１２】
上記のような、ラッチ部材の没入に対する抵抗の発生を少なくするには、ラッチ部材に突出弾性を付勢するスプリングの弾性を弱くすればよく、開閉操作が軽い力で行えることになる。
【００１３】
ところで、浴室にはその外側に脱衣所があり、この脱衣所の出入口にもドアが設置される場合があり、脱衣所の出入口に設置したドアを開閉させたとき、脱衣所の空間が正圧又は負圧になり、この正圧又は負圧が浴室の出入口に設置した二つ折りドアに作用し、このため、ラッチ部材に突出弾性を付勢するスプリングの弾性を弱くしておくと、浴室の二つ折りドアが一緒に開いてしまうことになり、入浴中に他の人が脱衣所に出入りする場合に支障が生じることになり、従って、ラッチ部材に突出弾性を付勢するスプリングの弾性を弱く設定することができない。
【００１４】
そこで、この発明の課題は、ドアを開けるときは従来通りであるが、ドアを閉じるときはそれよりも軽い力で行えるようにし、子供やお年寄り、手の悪い人でも閉操作が簡単に行え、しかも、脱衣所の出入口に設置したドアの開閉では一緒に開くようなことのないようにできるドアのラッチ装置を提供することにある。
【００１５】
【課題を解決するための手段】
上記のような課題を解決するため、この発明は、ドアに対する固定ケースの内部にラッチ部材を、ドア外枠側に係脱する先端側がこの固定ケースの端面から出没自在となるよう収納し、このラッチ部材に、スプリングで上記先端側が固定ケースの端面から常時突出する方向の弾性を付勢したドアのラッチ装置において、上記ラッチ部材を、固定ケースの内部に、その先端部が固定ケースの端面から出没する移動と、先端部がドア外枠側に対して当接した状態でドアの閉じる方向への移動によって生じる回動との複合動が可能となるよう収納した構成を採用したものである。
【００１６】
ここで、上記固定ケースの端面から出没するラッチ部材の先端側が、ドアの開閉方向に対して対応するための二つの傾斜面に形成され、このラッチ部材は、固定ケースに形成した角形収納孔内に納まり、固定ケースに設けた長孔と、このラッチ部材に長孔へ嵌るよう設けた軸とで、固定ケースの端面に対する出没動のストロークが設定され、上記ラッチ部材は、軸を支点として、先端部がドア外枠側に対して当接した状態でドアの閉じる方向への移動によって生じる回動が発生するよう、出没動方向の長さを、ドアの開方向に臨む正面が長く、ドアの閉方向に臨む背面を短くして、その内端側を傾斜端面に形成し、上記ラッチ部材に固定ケースの端面から常時突出する方向の弾性を付勢するよう、固定ケースの角形収納孔内に収納したスプリングが、傾斜端面の正面側端部を対面方向から押圧している構造とすることができる。
【００１７】
上記スプリングは、コイルスプリングを使用し、その一端をラッチ部材の傾斜端面の正面側端部に突設した突軸に挿入し、他端を角形収納孔内の底部に突設した突軸に挿入することにより、ラッチ部材を押圧するように縮設され、ラッチ部材に、先端側が固定ケースの端面から常時突出する方向の弾性を付勢すると同時に、ラッチ部材に対して、先端部がドア外枠側に対して当接した状態でドアの閉じる方向への移動によって生じる回動を許容している。
【００１８】
【発明の実施の形態】
以下、この発明の実施の形態を図示例と共に説明する。
【００１９】
図１乃至図３のように、この発明のラッチ装置Ａは、ドアに対する固定ケース１１の内部に、先端側がこの固定ケース１１の端面から出没自在となるラッチ部材１２と、このラッチ部材１２に先端側が固定ケース１１の端面から常時突出する方向の弾性を付勢するスプリング１３とを収納して形成されている。
【００２０】
このラッチ装置Ａは、図４に示した二つ折りドアにおいて、一方ドア単体２ａのジョイント機構３寄りの下部と、他方ドア単体２ｂのジョイント機構３寄りの上部とに取り付けられる。
【００２１】
図１は、ラッチ装置Ａの一方ドア単体２ａへの取り付け構造を示し、一方ドア単体２ａの下桟１４を形成する型材の端部に、ラッチ部材１２が下向きに突出するよう固定ケース１１を嵌め込み、外部からのボルトと固定ケースに埋め込んだナット１５を用いて固定ケース１１を下桟１４に固定し、二つ折りドア２の開閉時にラッチ部材１２の先端部がドア外枠１の下桟１６に設けた突条１７に対して係脱するようになっている。
【００２２】
また、図２は、ラッチ装置Ａの他方ドア単体２ｂへの取り付け構造を示し、他方ドア単体２ｂの上桟１８を形成する型材の端部に、ラッチ部材１２が上向きに突出するよう固定ケース１１を嵌め込み、ボルトとナット１５を用いて固定ケース１１を上桟１８に固定し、二つ折りドア２の開閉時にラッチ部材１２の先端部がドア外枠１の上桟１９に設けた突条２０に対して係脱するようになっている。
【００２３】
上記固定ケース１１とラッチ部材１２の材料としては例えば、硬質の合成樹脂を用い、図３のように、固定ケース１１は、上下に長い角形の箱状となり、一方の端面で片寄った位置で開口する角形収納孔２１が設けられ、この固定ケース１１には、角形収納孔２１の開口端側でドアの開閉方向と直交する位置の両側に、角形収納孔２１の長さ方向に沿って長孔２２が対向状に設けられている。
【００２４】
上記ラッチ部材１２は、平面的に角形収納孔２１内に納まる角形となり、両側面にわたって貫通する軸２３の両端が上記長孔２２で支持され、この長孔２２に沿って角形収納孔２１の長さ方向に移動可能となり、この長孔２２によって移動ストロークが規制されていると共に、上記スプリング１３によって先端側が固定ケース１１の端面から常時突出する方向の弾性が付勢されている。
【００２５】
上記ラッチ部材１２の先端側は、正面と背面がドアの開閉方向に対して対応するための二つの傾斜面２４、２５に形成され、この傾斜面２４、２５が固定ケース１１の端面から出没することになると共に、このラッチ部材１２の正面と背面における出没動方向の長さは、ドアの開方向に臨む正面２６が軸２３よりも下方に位置するように長く、ドアの閉方向に臨む背面２７は軸２３と略同じ水平高さ位置になるよう短く設定され、正面２６の内端と背面２７の内端を結ぶ内端面が傾斜端面２８に形成されている。
【００２６】
固定ケース１１の角形収納孔２１内に納まるラッチ部材１２は、上記のような側面形状を採用することにより、図２（Ｂ）のように、正面２６側が軸２３よりも下方に伸びることで、先端部がドア外枠１の突条２０に対して係合した状態でドアを開く方向ａへの移動による回動が不能となる。
【００２７】
これに対して、ラッチ部材１２の背面２７側は、軸２３と略同じ水平高さ位置になっているので、ラッチ部材１２は、軸２３を支点として、先端部がドア外枠１の突条２０に対して当接した状態で、ドアの閉じる方向への移動によって生じる回動、即ち、図２（Ｂ）における反時計方向の回動が可能となる。
【００２８】
上記ラッチ部材１２の傾斜端面２８で正面２６側寄りの位置に突軸２９を設けると共に、角形収納孔２１内の底部に突軸３０を突設し、角形収納孔２１内に収納した圧縮状態のコイルスプリング１３の両端を両突軸２９、３０に挿入することにより、ラッチ部材１２に、先端側が固定ケース１１の端面から常時突出する方向の弾性を付勢すると同時に、傾斜端面２８の端部を対面方向から押圧し、先端部がドア外枠１側に対して当接した状態で、ドアの閉じる方向への移動により、ドア外枠１側との接触で発生する回動を可能にしている。
【００２９】
この発明のラッチ装置は、上記のような構成であり、図４で示したように、浴室の出入口に装着した二つ折りドア２における一方ドア単体２ａのジョイント機構３寄りの下部と、他方ドア単体２ｂのジョイント機構３寄りの上部とにラッチ装置Ａを取り付ける。
【００３０】
図２と図３は、二つ折りドアがドア単体２ａと２ｂの展張により出入口を閉じた状態を示し、ラッチ装置Ａは、ラッチ部材１２の先端部がドア外枠１の上桟１９と下桟１６に設けた突条１７、２０に対して係合し、ドア単体２ａと２ｂを閉じた位置に保持している。
【００３１】
この状態で二つ折りドア２に対して開く方向に力を加えると、図１（Ａ）と図２（Ａ）において、ドア外枠１に対してドア単体２ａと２ｂは、同図の左側に向けて開く方向ａに移動することになり、この時、傾斜面２４が突条１７、２０に係合しているので、ラッチ部材１２には、固定ケース１１の角形収納孔２１の出没方向に対して直角の方向の力が加わり、この直角の方向の力を先端部に形成した傾斜面２４の作用でラッチ部材１２をスプリング１３の弾性に抗して没入させることになる。
【００３２】
このとき、ラッチ部材１２は、ドアを開く方向への移動により、傾斜面２４が突条１７、２０に係合しているので、図１（Ａ）と図２（Ａ）において時計方向に回転させようとする力が加わるが、上下に長い正面２６が角形収納孔２１の内面に当接することで回動ができない状態となり、このため、ラッチ部材１２は没入方向へ直線的に移動するしかなく、従って、ドアを開くときは従来と同様の抵抗が生じることになり、従来と同様の開放のための操作力が必要になる。
【００３３】
このことは、脱衣所の出入口に設置したドアを開閉させたとき、脱衣所の空間が正圧又は負圧になり、この正圧又は負圧が浴室の出入口に設置した二つ折りドア２に作用しても、該二つ折りドア２が一緒に開いてしまうというようなことがなくなる。
【００３４】
また、開いた二つ折りドア２を閉じる場合は、ドア外枠１に対してドア単体２ａと２ｂは図１（Ｂ）と図２（Ｂ）の右側から閉方向ｂのように接近することになり、閉鎖の直前にラッチ部材１２の先端部がドア外枠１の上桟１９と下桟１６に設けた突条１７、２０に対して当接し、この状態で更に二つ折りドア２に閉じる方向の力を加えると、ラッチ部材１２には出没方向に対して直角の方向の力が加わり、この直角の方向の力は、先端部に形成した傾斜面２４の作用でラッチ部材１２をスプリング１３の弾性に抗して没入させる。
【００３５】
このとき、ラッチ部材１２は、傾斜面２４が突条１７、２０に対して当接した状態で、ドア単体２ａと２ｂの閉鎖位置への移動に対して逃げる方向への回動が可能になっているので、更に二つ折りドア２に閉じる方向の力を加えると、ラッチ部材１２には軸２３を支点とした回転が発生し、この回転による逃げと角形収納孔２１への没入方向の移動の複合した動きにより、ラッチ部材１２の没入時に発生する抵抗力が少なくなり、従って、二つ折りドア２を弱い力で軽く閉じることができるようになり、ラッチ部材１２は突条１７、２０を通過すると突出して突条１７、２０に係合し、ドア単体２ａと２ｂを閉じた位置に保持することになる。
【００３６】
【発明の効果】以上のように、この発明のラッチ装置は、上記のような構成としたので、ドアを閉じる場合に、先端部がドア外枠の突条に対して当接したラッチ部材が、回転と没入方向への移動の複合した動きをし、ラッチ部材の没入時に発生する抵抗力を少なくすることで、ドアを弱い力で閉じることができるようになり、子供やお年寄り、手の悪い人でもドアを簡単に閉じることができる。
【００３７】
また、ドアを開く場合に、先端部がドア外枠の突条に対して係合したラッチ部材の没入時は、従来と同様の抵抗が得られるので、例えば、浴室の出入口に装着した二つ折りドアに取り付けて使用すると、脱衣所の出入口に設置したドアの開閉時に二つ折りドアが一緒に開くことのないようにすることができる。
【図面の簡単な説明】
【図１】（Ａ）はこの発明のラッチ装置を二つ折りドアの一方ドア単体に取り付けた状態を示す要部切り欠き正面図、（Ｂ）は（Ａ）の矢印ｂ−ｂでの縦断側面図
【図２】（Ａ）はこの発明のラッチ装置を二つ折りドアの他方ドア単体に取り付けた状態を示す要部切り欠き正面図、（Ｂ）は（Ａ）の矢印ｂ−ｂでの縦断側面図
【図３】この発明のラッチ装置を示す分解斜視図
【図４】ラッチ装置を取り付けた二つ折りドアの正面図
【符号の説明】
Ａ　　ラッチ装置
１　　ドア外枠
２　　二つ折りドア
３　　ジョイント機構
１１　固定ケース
１２　ラッチ部材
１３　スプリング
１４　下桟
１５　ボルトとナット
１６　下桟
１７　突条
１８　上桟
１９　上桟
２０　突条
２１　角形収納孔
２２　長孔
２３　軸
２４　傾斜面
２５　傾斜面
２６　正面
２７　背面
２８　傾斜端面
２９　突軸
３０　突軸
【図１】
2004068358.tif 000003
【図２】
2004068358.tif 000004
【図３】
2004068358.tif 000005
【図４】
2004068358.tif 000006